(57)【特許請求の範囲】
【請求項１】
撒き餌を収納する器において、通過孔が上下方向に設けられた蓋体と、摺動孔が上下方向に設けられた収納本体とに、上下分離可能に構成された収納体と、少なくとも該収納体の該摺動孔に摺動可能に設けられ上端にライン掛止部、下端に仕掛け掛止部を有し摺動域が上下とも制限された杆体とによって構成されたものであって、該杆体には、該摺動域において該蓋体内面の該通過孔以外の部分に係合し該蓋体を該収納本体から離反させる突き部材が設けられたものであることを特徴とする釣り用撒き餌器。
【発明の詳細な説明】
【０００１】
【発明の属する技術分野】
本発明は、磯や波止からの釣りにおいて使用する釣り用撒き餌器の構造に関するものである。
【０００２】
【従来の技術】
集魚効果を期待して行なう撒き餌は、釣りポイントが釣り座から近くて浅い場合には、仕掛けの投入とは別作業で投げ込むことが多い。しかし、１０ｍを超えるような距離や水深では、的確な撒き餌は困難であったり不可能であったりするので、撒き餌器を使用することが多い。
【０００３】
この場合の撒き餌器は、撒き餌を収納した容器を水中に沈降させた後適当な深さで、釣り竿をしゃくり内容物を排出させる機能を有するものを指す。通常、投げ釣り用竿のラインに、釣り仕掛けと共に撒き餌器を掛止しておき、仕掛けを投入すれば自動的に撒き餌器もすぐ近くに投入されるように構成されている。
【０００４】
そしてその構造は多様であるが、仕掛けと共に投入されることを前提としたものであることから受ける形状面、容積面での制約の中で、的確な撒き餌をするための様々な工夫が凝らされたものも多い。
【０００５】
【発明が解決しようとする課題】
しかし、的確な撒き餌とは、撒き餌ポイントまでは撒き餌が排出されないことと、ポイントに達した段階（しゃくり作業をする時）では確実に撒き餌が排出されること、の二点を共に効果的に満足させるような形態を指すわけであるが、これら二点は相反する機能であり、実際には、ポイントまで排出しない能力が長けた撒き餌器は往々にしてしゃくり作業を強力にしないと撒き餌排出をしないことが多かったし、逆に簡単に撒き餌排出が出来る撒き餌器を使用した場合に、仕掛けを投入したときその着水時、或いはそれ以前に内容物が排出してしまい用をなさないということになりがちであった。
【０００６】
【課題を解決するための手段】
そこで本発明者は上記諸点に鑑み鋭意研究の結果遂に本発明を成したものでありその特徴とするところは、撒き餌を収納する器において、通過孔が上下方向に設けられた蓋体と、摺動孔が上下方向に設けられた収納本体とに、上下分離可能に構成された収納体と、少なくとも該収納体の該摺動孔に摺動可能に設けられ上端にライン掛止部、下端に仕掛け掛止部を有し摺動域が上下とも制限された杆体とによって構成されたものであって、該杆体には、該摺動域において該蓋体内面の該通過孔以外の部分に係合し該蓋体を該収納本体から離反させる突き部材が設けられた点にある。
【０００７】
即ち本発明に係る釣り用撒き餌器は、蓋付きの撒き餌収納体と、その蓋と本体を通貫する杆体とによりなるもので、該収納体は該杆体上を上下に摺動し、且つ一度上方に移動した収納体が下方に下がる際、該杆体に取設された突き部材の先端が蓋体の通過孔から収納体内部に入って該蓋体内面に係合し、この状態で釣り竿をしゃくると、収納本体以外はそのしゃくりに共動するが、収納本体はその慣性により留まっていようとし。またしゃくりの力は蓋と本体との係合力を容易に上回るため共動せず、よって蓋と本体の連結が解除されるというものである。
【０００８】
ここで「収納体」は、撒き餌を収納するための容器であるが、一部の撒き餌器がそうであるように、撒き餌と共にこの中に刺し餌を付けた釣り針を格納するようにしても良い。また、収納体は、蓋体と収納本体とにより構成されている組合せ部材であり、連結された状態で該蓋体を、双方が離反する方向に突くと、該連結が解除されこれらは離反する。なお本発明に係る撒き餌器は、撒き餌を収納するものの蓋が外れることでその排出をするものであるので、収納本体自体は密閉されていても良い（摺動孔が存在するので厳密には密閉し得ないが）。密閉度が増すと、撒き餌ポイントまでに漏出する撒き餌量が少なくて済むという効果があるが、反面撒き餌作業時収納体底付近に内容物が残存してしまうおそれがあり、またラインを巻き仕掛けを引き寄せるときに水抵抗が大きくなるという欠点があるので、底付近に貫通孔を適宜刻設しておくと好適である。また、収納体は水中において沈降するものであるが、その沈降力は、格納する撒き餌に依存するよりも収納体自体の比重を海水のそれよりも大きくしたほうが良い。例えば、収納本体に重錘を設けるなどの措置がこれに該当する。
【０００９】
「杆体」は、収納体を支持するものであると共に、釣り竿からのライン（道糸）を掛止するための「ライン掛止部」と、仕掛け（ハリスや釣り針、重錘等）を掛止するための「仕掛け掛止部」、そして、しゃくり動作等によって収納体に強い上下動を与えた時に蓋体を内側から突き上げることで該蓋体を収納本体から離反させるための「突き部材」とを有するものである。
【００１０】
杆体は収納体を、可動域が上下とも制限されて摺動するように支持している。またこの摺動は、収納体の通過孔及び摺動孔に該杆体が通貫するという形で行なわれるので、摺動域においては該杆体は滑らかな直線状であるのが好ましい。なお蓋体に設けられた「通過孔」は、杆体が通貫するための開口であると共に、収納体が杆体下端位置においては次に述べる突き部材の先端が該孔内或いは該孔の外側にあり、該収納体が該杆体上方に移動すると該孔の内部に嵌入するように形成されている。
【００１１】
「突き部材」は、本発明撒き餌器の杆体側に設けられる部材である。但し、杆体と別部材ではなく、一体的に形成されたものであっても良いとする。構造は特に限定はしないが、杆体の上端又は上端付近にその下端があり、上端に向かうに従って該杆体の軸方向から離反するように傾斜して取設されたものが好ましい。また、収納体が杆体上を上方に移動し突き部材の上端が蓋体の通過孔を通過するとき、その通過を阻害しないように外側方向にわずかに付勢された材質や構造のものが好ましい。
【００１２】
【発明の実施の形態】
以下図面に基づき本発明を更に詳細に説明する。
【００１３】
図１は、本発明に係る釣り用撒き餌器１（以下本発明撒き餌器１という）の一例を示すものであり、図より明らかなように本発明撒き餌器１は概ね、針金でできた杆体２と、この上を摺動する収納体３とによって構成されている。杆体２の上方箇所は小さく二回折曲されており、この折曲箇所がライン掛止部２１となっている。そしてライン掛止部２１より上方にも針金は延びており、突き部４が形成されている。そしてこの突き部４の軸方向は、杆体２の軸方向とは異なっており、ライン掛止部２１の位置で折曲したように形成されている。また、杆体２の下端には、リング状部分が形成されるように針金が曲げられ、仕掛け掛止部２２が形成されている。
【００１４】
杆体２のライン掛止部２１と仕掛け掛止部２２の間の直線状部分には、収納体３と中通し型の重錘５が摺動自在に嵌装されている（重錘５の方が下方に位置している）。
【００１５】
収納体３は、撒き餌を収納するための空間を有する容器であり、本例のものはプラスチック製である。収納体３は、蓋体３１と収納本体３２とで構成されており、摩擦力のよって連結されたものである。また蓋体３１には通過孔３３が、収納本体３２にはその下端に固設された小型の重錘の貫通孔である摺動孔３４がそれぞれ設けられている。摺動孔３４は、ライン掛止部２１を超えることも、また当然重錘５を超えることもできない比較的小さな開口であり、重錘５の孔が仕掛け掛止部２２を超えられないこともあり、これらに規制された摺動域しか移動できない構造となっている。なお本例の収納体３は、ほとんど密閉された構造であるため、従来の網構造の撒き餌器と異なり撒き餌が散逸して釣り場を汚すといったことは少ないが、水中の撒き餌ポイントにおいて十分な撒き餌が行ないにくいこともあるので、底部周辺には幾つかの小孔６が刻設されている。
【００１６】
通過孔３３は、すり鉢状の内周面を有する（換言すると、孔を形成する開口が上端が下端よりも大きく形成された）漏斗状体である。また、その最も狭い部分でさえ余裕を以てライン係止部２１が通過しえる大きさの孔である。従って、蓋体３１が杆体２に対して上下動するとき、ライン掛止部２１は該上下動を阻害しない。しかし該杆体２に設けられた突き部４（なおこの突き部４は、下端位置にあった収納体３が上方に移動するとき容易に通過孔３３内に導入されるという性質がある）は、本発明撒き餌器１の中心軸方向から上方に向かって開くように斜めに突き出ている〔図２（ａ）〕。この状況は、実際の撒き餌作業においては、本発明撒き餌器１を含む仕掛け等の投入前から着水までの状態に相当し、この状態にあるとき釣り竿をいくら強力にしゃくっても蓋体３１と収納本体３２とが離反することがない。
【００１７】
収納体３がさらに上方に移動すると、突き部４の先端は通過孔３３を超えて収納体３の内部空間（本発明撒き餌器１使用時にはこの空間には撒き餌等が充填されている）に入り込む〔図２（ｂ）〕。通過孔３３の形状が漏斗状であるので突き部４はほとんど抵抗なく入り込むことになる。この状況は、実際の撒き餌作業においては、本発明撒き餌器１が着水後、予め設定している水深位置まで沈降しつつある状態に相当する。即ち、着水直後の本発明撒き餌器１を含む仕掛け等は着水の際の衝撃を受けた後、自重で沈降することになるわけであるが、重錘５を伴っておりしかも水の抵抗をほとんど受けない形状構造である杆体２は、撒き餌等を充填するだけの大きさを有するが故に水の抵抗が大きくしかも特に大型の重錘を持たない収納体３よりも大きい速度で沈降することになる。そこで、杆体２の摺動部分を摺動し、収納体３は上方に移動することになる。
【００１８】
突き部４は、杆体２の軸方向から外れた方向に延出しているので、一旦収納体３の内部空間内に入り込むと、その上端は通過孔３３の下端開口から外れて位置することになり、収納体３の下方への移動は、突き部４の上端が蓋体３１の裏面側の窪みに接当した段階で規制されることになる〔図２（ｃ）〕。この状況は、実際の撒き餌作業においては、本発明撒き餌器１が沈降を終了した状態に相当しており、撒き餌作業の開始を待っている状態となっている。
【００１９】
この段階で、釣り人が釣り竿をしゃくってやると、該しゃくり動作の初期の段階で収納体３の蓋体３１裏面を突き部４が突き上げる力が働くことになる。収納体３自体は、その慣性力と水の抵抗力を受け、その結果蓋体３１は収納本体３２が離反することになる〔図２（ｄ）〕。この後幾度かしゃくり動作を続けると、蓋体３１が外れた収納体３から撒き餌が排出されることになる。そして、このしゃくり動作の際蓋体３１は下方に移動しようとするが、杆体２の先端（図ではライン掛止部２１と、突き部４の先端とは離反しているので、これらが蓋体３１の通過孔３３を超えることはなく、従って再度蓋が閉じられてしまうおそれもないという効果がある。
【００２０】
なおここまで突き部４は、杆体２と一体的に形成されたものとして図示並びに説明してきたが、杆体２とは別部材として杆体２に別途固定するようにしても良いし、杆体２の上端に固定せずその中途部分に設けるようにしても良い（図示せず）。
【００２１】
【発明の効果】
以上詳細に説明したように本発明に係る釣り用撒き餌器は、撒き餌を収納する器において、通過孔が上下方向に設けられた蓋体と、摺動孔が上下方向に設けられた収納本体とに、上下分離可能に構成された収納体と、少なくとも該収納体の該摺動孔に摺動可能に設けられ上端にライン掛止部、下端に仕掛け掛止部を有し摺動域が上下とも制限された杆体とによって構成されたものであって、該杆体には、該摺動域において該蓋体内面の該通過孔以外の部分に係合し該蓋体を該収納本体から離反させる突き部材が設けられたものであることを特徴とするものであり、以下述べる如き種々の効果を有する極めて高度な発明である。
【００２２】
▲１▼  収納体の蓋体を突き開くための部分である突き部の上端が、仕掛け等を投入しようとする時から、投入後着水するまで、蓋体の通過孔の外側にあるので、わずかなショックで蓋が開いてしまうということがない。
▲２▼  水中の適宜深さに達した後には、わずかなしゃくり動作で確実に蓋が開くので、失敗のない撒き餌作業ができる。また、撒き餌箇所を相当深く設定しても沈降中は突き部は蓋体から離反しているので、それまでに蓋が開くことはほとんどなく、しかも設定水深に達すれば確実に撒き餌できる。
▲３▼  蓋体と収納本体が離反するという構造であり、しかも一旦離反した蓋体は再び本体とは結合しにくい構造であるので、本体開口部にある支点を中心に回動するという形での蓋を有するものに比して、撒き餌作業の途中で蓋が閉じてしまうということも起こりにくい。
【図面の簡単な説明】
【図１】本発明に係る釣り用撒き餌器の一例を示す概略断面図である。
【図２】（ａ）から（ｄ）はすべて本発明に係る釣り用撒き餌器の一例を示す概略断面図である。
【符号の説明】
１    本発明に係る釣り用撒き餌器
２    杆体
２１  ライン掛止部
２２  仕掛け掛止部
３    収納体
３１  蓋体
３２  収納本体
３３  通過孔
３４  摺動孔
４    突き部
５    重錘
６    小孔
【図１】
0003803739.tif 000002
【図２】
0003803739.tif 000003